(57)【要約】【課題】  同一周波数であるにもかかわらず地域によっては放送局が異なる放送電波を受信した場合であっても、放送局を特定し、放送番組情報を取得することができるデータ処理装置及びその制御方法を提供する。【解決手段】  放送信号に対応する入力された放送データを記録する記録部と、前記放送データの記録時刻データおよび当該放送データを記録するときの自己の現在位置に対応する外部より入力された自己位置データに基づいて、前記放送データに対応する放送時刻情報および放送内容情報を含む放送番組情報データを外部より取得し、当該放送番組情報データを前記放送データに対応付けて前記記録部に記録させる制御部と、を備えた。【選択図】      図２
2006279379.tif 000002
【特許請求の範囲】
【請求項１】
放送信号に対応する入力された放送データを記録する記録部と、
前記放送データの記録時刻データおよび当該放送データを記録するときの自己の現在位置に対応する外部より入力された自己位置データに基づいて、前記放送データに対応する放送時刻情報および放送内容情報を含む放送番組情報データを外部より取得し、当該放送番組情報データを前記放送データに対応付けて前記記録部に記録させる制御部と、
を備えたことを特徴とするデータ処理装置。
【請求項２】
前記制御部は、前記自己位置データおよび前記放送信号の受信周波数情報に基づいて、放送局を特定することを特徴とする請求項１に記載のデータ処理装置。
【請求項３】
前記制御部は、前記記録部に記録した前記放送データを再生するに際し、再生状況に応じて前記放送番組情報データの対応する放送番組情報を提示することを特徴とする請求項１又は２に記載のデータ処理装置。
【請求項４】
前記制御部は、前記記録時刻データを、前記自己位置データを生成する無線測位システムより取得することを特徴とする請求項１乃至３のいずれかに記載のデータ処理装置。
【請求項５】
前記放送番組情報データは、通信ネットワークを介して取得することを特徴とする請求項１乃至４のいずれかに記載のデータ処理装置。
【請求項６】
前記電気通信ネットワークは、外部の機器と無線通信を行う無線通信ネットワークを含むことを特徴とする請求項５に記載のデータ処理装置。
【請求項７】
放送信号に対応する入力された放送データを記録する記録部を備えたデータ処理装置を制御する制御方法において、
放送信号に対応する入力された放送データを記録する過程と、
前記放送データの記録時刻データおよび当該放送データを記録するときの自己の現在位置に対応する外部より入力された自己位置データに基づいて、前記放送データに対応する放送時刻情報および放送内容情報を含む放送番組情報データを外部より取得し、当該放送番組情報データを前記放送データに対応付けて前記記録部に記録させる過程と、
を備えたことを特徴とするデータ処理装置の制御方法。
【請求項８】
放送信号に対応する入力された放送データを記録する記録部を備えたデータ処理装置をコンピューターにより制御するための制御プログラムにおいて、
放送信号に対応する入力された放送データを記録させ、
前記放送データの記録時刻データおよび当該放送データを記録するときの自己の現在位置に対応する外部より入力された自己位置データに基づいて、前記放送データに対応する放送時刻情報および放送内容情報を含む放送番組情報データを外部より取得させ、当該放送番組情報データを前記放送データに対応付けて前記記録部に記録させることを特徴とする制御プログラム。
【発明の詳細な説明】
【技術分野】
【０００１】
本発明は、データを記憶し、再生するデータ処理装置、その制御方法、制御プログラム及び記憶媒体に関する。
【背景技術】
【０００２】
従来、ラジオ放送やテレビ放送等の放送内容を記録する方法としては、放送中の番組を、ラジオ放送の場合にはカセットテープやＭＤ（Mini Disk）等、テレビ放送の場合にはビデオテープ等の記録媒体に記録する方法が主流であった。また、近年、ＩＣメモリーカード、不揮発性メモリー、ハードディスクといった記録媒体を用いるデジタル機器が登場し、ラジオ放送やテレビ放送等を記録する機能が付加されているものも存在する。そして、デジタル機器の一種である車載用デジタルオーディオ等の車載用データ処理装置においても、ハードディスクやＩＣメモリーカードにラジオ放送やテレビ放送等を記録することが可能となっている。
【０００３】
このような車載用デジタル機器においては、再生内容を表示画面に表示することができるものも存在し、その方法として、例えばＣＤ（Compact Disk）等ではＣＤ−ＴＥＸＴのようにディスクからの情報やデータベース（ＣＤＤＢ）等のＴＯＣ情報を基にした検索システムを用いた方法が行われている。これにより、再生するＣＤのアルバム名やトラック名などの情報を表示し、ユーザーが視覚で、ＣＤの情報を把握したり、選択するトラックの検索を行ったりすることができる。
【０００４】
また、放送番組では電子番組表（ＥＰＧ：Electronic Program Guide）等を用いて番組名等を再生時に自動的に表示させることが可能であり、電子番組表は放送電波やインターネット上から取得する。例えばラジオ放送では、ラジオ放送の聴取者は、気に入った音楽が流れた際に、ＭＤレコーダー等の記録機器を用いることにより、その音楽を記録することができる。一方、この記録した音楽のタイトルやアーティストが判るようにするために、ユーザー端末から、録音した音楽を流した放送局名や放送時間を含む放送タグが送信されると、この放送タグに対応づけて記録された、タイトルやアーティストを記述した識別情報をユーザー端末に送信するデータベースサーバーが提案されている（例えば、特許文献１参照）。
【特許文献１】特開２００２−１６２９７３号公報
【発明の開示】
【発明が解決しようとする課題】
【０００５】
ところで、上記従来の技術にあっては、記録内容に対応する電子番組表を放送電波の周波数若しくは放送局名や放送時間に基づいて取得している。しかしながら、放送電波は同一周波数（チャンネル）であっても地域によっては放送局や番組が異なることがある。このため、設置場所が常に同じ地域内に固定された機器であれば問題なく電子番組表を使用できるが、車載用データ処理装置等のように移動する機器に使用されることは考慮されておらず、記録内容と電子番組表とが放送電波の周波数及び放送時間だけで必ずしも正しく対応するとは限らない。従って、車載用データ処理装置で放送を記録する時には、移動する度に手動で受信エリアを設定しなければ、記録内容の再生時に記録内容と電子番組表とが正しく対応しないため、記録時刻を表示することしかできない。
【０００６】
本発明は、上述した事情に鑑みてなされたものであり、同一周波数であるにもかかわらず地域によっては放送局が異なる放送電波を受信した場合であっても、放送局を特定し、放送番組情報を取得することができるデータ処理装置及びその制御方法を提供することを目的としている。
【課題を解決するための手段】
【０００７】
本発明は、放送信号に対応する入力された放送データを記録する記録部と、前記放送データの記録時刻データおよび当該放送データを記録するときの自己の現在位置に対応する外部より入力された自己位置データに基づいて、前記放送データに対応する放送時刻情報および放送内容情報を含む放送番組情報データを外部より取得し、当該放送番組情報データを前記放送データに対応付けて前記記録部に記録させる制御部と、を備えたことを特徴とする。
【０００８】
この場合において、前記制御部は、前記自己位置データおよび前記放送信号の受信周波数情報に基づいて、放送局を特定してもよい。前記制御部は、前記記録部に記録した前記放送データを再生するに際し、再生状況に応じて前記放送番組情報データの対応する放送番組情報を提示してもよい。前記制御部は、前記記録時刻データを、前記自己位置データを生成する無線測位システムより取得してもよい。前記放送番組情報データは、通信ネットワークを介して取得してもよい。前記電気通信ネットワークは、外部の機器と無線通信を行う無線通信ネットワークを含んでもよい。
【０００９】
また、本発明は、放送信号に対応する入力された放送データを記録する記録部を備えたデータ処理装置を制御する制御方法において、放送信号に対応する入力された放送データを記録する過程と、前記放送データの記録時刻データおよび当該放送データを記録するときの自己の現在位置に対応する外部より入力された自己位置データに基づいて、前記放送データに対応する放送時刻情報および放送内容情報を含む放送番組情報データを外部より取得し、当該放送番組情報データを前記放送データに対応付けて前記記録部に記録させる過程と、を備えたことを特徴とする。
【００１０】
また、本発明は、放送信号に対応する入力された放送データを記録する記録部を備えたデータ処理装置をコンピューターにより制御するための制御プログラムにおいて、放送信号に対応する入力された放送データを記録させ、前記放送データの記録時刻データおよび当該放送データを記録するときの自己の現在位置に対応する外部より入力された自己位置データに基づいて、前記放送データに対応する放送時刻情報および放送内容情報を含む放送番組情報データを外部より取得させ、当該放送番組情報データを前記放送データに対応付けて前記記録部に記録させることを特徴とする。
【発明の効果】
【００１１】
本発明によれば、同一周波数であるにもかかわらず地域によっては放送局が異なる放送電波を受信した場合であっても、放送局を特定し、放送番組情報を取得することができるため、ユーザーに放送番組情報を提示することができる。
【発明を実施するための最良の形態】
【００１２】
以下、図面を参照しつつ本発明の実施の形態について説明する。
図１は、データ処理装置１００の主要構成を示すブロック図である。
放送受信部４は、アンテナ（図示せず）を介して受信した放送電波を選曲、復調し、放送信号を取得するための放送受信部であり、取得した映像や音声の放送信号を信号処理部８へ出力する。
音声出力部１３は、受信した放送信号や記録装置１に記録した放送データを放送信号へと変換し、放送信号の音声を音波として外部に出力する出力部である。
操作部３は、ボタンやジョイスティック等で構成され、ユーザーが操作部３を介して記録装置１に動作指示を行うことにより、データ処理装置１００の基本動作、受信する放送の選局、記録動作、記録した放送データの編集や再生等が行われる。
【００１３】
主制御装置１１は、ＣＰＵ（Central Processing Unit）、ＣＰＵが実行する制御プログラムを格納するＲＯＭ（Read Only Memory）、各種データを一時的に格納するＲＡＭ（Random Access Memory）等を備えている。これにより主制御装置１１はデータ処理装置１００のシステム全体を制御するコンピューターとして機能する。
【００１４】
また、主制御装置１１は位置検出部２から取得したＧＰＳデータに含まれている時刻データに基づき、放送信号の記録動作を行う際には、その記録開始時刻や記録終了時刻を記録時刻情報として記録装置１に記録する。主制御装置１１は、この記録時刻情報と、記録している放送信号を送信した放送局の放送局名または周波数等の放送局情報とを、記録装置１に出力する。
【００１５】
信号処理部８は、放送受信部４で復調された放送信号を圧縮、伸張等の信号処理するための信号処理部であり、主制御装置１１からの指示を受け、放送受信部４から出力されてきた放送信号を処理し、放送データとして記憶装置１２に一時的に保存してから記録装置１に記録させる。放送受信部４から出力されてきた無圧縮状態の放送信号は、圧縮フォーマットに従ってデータ圧縮され、圧縮状態の放送データとして記録装置１に記録することにより、記録装置１に記録する放送データのデータサイズを小さくすることができる。
【００１６】
記憶装置１２は、データ処理装置１００の制御や処理に必要なプログラムやデータを一時的に格納するための作業エリアとして用いられる記憶装置であり、ＤＲＡＭ（Dynamic Random Access Memory）により構成される。記憶装置１２は、信号処理部８から送られてきた、圧縮状態の各放送データをそれぞれ個別の領域に分けて一時的に保存する。この記憶装置１２に保存された圧縮状態の放送データは、記録装置１に記録するためのデータとして用いられる。
記録装置１は、音声データや映像データ等の放送データ、番組名照合用データ等を記録するのに用いられる記録装置であり、ハードディスクにより構成される。
【００１７】
画像描画制御部９は、表示部１０に表示する情報や操作のための表示を描画、制御するための制御部であり、表示部１０は画像描画制御部９から出力されてきた表示データに対応する画像を表示する。
データ処理装置１００は、番組情報照合データを外部の番組情報データと照合し、番組名等の番組情報を取得する手段として、無線通信部５、携帯電話通信制御部６、外部記憶装置制御部７を備えている。
無線通信部５は、Bluetooth（登録商標）や無線ＬＡＮ等を介して無線通信を行って各種情報を取得する。携帯電話通信制御部６は、携帯電話機が接続され、携帯電話機を介して通信を行う際に各種制御を行う。外部記憶装置制御部７は、装着されたＩＣメモリーカードの制御を行う。
【００１８】
位置検出部２は、ＧＰＳ信号受信機（ＧＰＳ：Global Positioning System）、加速度センサー（ジャイロ）、車速信号検出部を備え、車両の位置を検出する。
ＧＰＳ信号受信機は、ＧＰＳ衛星から送信されたＧＰＳ測位信号を、ＧＰＳ用アンテナを介して受信して復調し、この復調結果であるＧＰＳデータを主制御装置１１に転送する。
角速度センサーは車両の進行方位を検出し、方位情報を示す方位信号を主制御装置１１に転送する。
車速信号検出部は、車両の走行速度に応じて、車速センサー（図示せず）より出力されるパルス信号を検出し、車両の走行速度を示す車速信号を主制御装置１１に転送する。
【００１９】
主制御装置１１は、位置検出部２から取得した情報を基に現在位置を特定し、位置データを作成する。経路探索時においては、位置データにより示される現在地点から目的地までの誘導経路を探索して探索結果を表示部１０に表示し、また、経路案内時には、位置データに基づいて現在位置の移動状況を地図と共に表示部１０に表示して経路案内を行う。
【００２０】
図２は、データ処理装置１００による放送記録時の動作を示すフローチャートである。
主制御装置１１は先ず、位置検出部２から取得した情報を基に現在位置を特定できたか否かを判定する（ステップ１）。
ステップＳ１において、主制御装置１１は、現在位置を特定できなかったと判定すると（ステップＳ１：ＮＯ）、ユーザーが操作部３を操作することにより、現在位置の属する放送地域を手動で指定し（ステップＳ２）、ステップＳ３に処理を移行する。
【００２１】
一方、ステップＳ１において、主制御装置１１は、現在位置を特定できたと判定すると（ステップＳ１：ＹＥＳ）、位置データを記録装置１のデータベースに格納された放送局（送信所）リストと照合し現在受信可能放送局をリストアップし、現在位置での受信可能放送局を表示部１０に表示する（ステップＳ３）。ここで、位置データに基づいて受信可能放送局を抽出するには、現在位置から放送局までの距離や送信出力等により受信可能の可否を判定することにより行う。
【００２２】
また、ステップＳ２において、手動で現在位置の属する地域を指定した場合には、位置データに基づくことなく、この指定した地域での受信可能放送局を表示部１０に表示する。
【００２３】
次に、ユーザーが操作部３を操作することにより、表示部１０に表示された受信可能放送局から放送電波を受信すべき放送局を選択する（ステップＳ４）。
【００２４】
そして、主制御装置１１は、ユーザーが操作部３を操作することにより、放送信号の記録動作が開始されたか否かを判定する（ステップＳ５）。
【００２５】
ステップＳ５において、主制御装置１１は、放送信号の記録動作が開始されてないと判定すると（ステップＳ５：ＮＯ）、放送信号の記録動作が開始されたと判定するまで待機状態となる。
【００２６】
一方、ステップＳ５において、主制御装置１１は、放送信号の記録動作が開始されたと判定すると（ステップＳ５：ＹＥＳ）、位置検出部２から取得したＧＰＳデータに含まれている時刻データに基づき、放送信号の記録動作が開始された記録開始時刻を記憶装置１２に記憶する（ステップＳ６）。
【００２７】
次に、主制御装置１１は、ステップＳ４において選択された現在受信している放送局の情報を受信局情報（受信周波数情報）として記憶装置１２に記憶する（ステップＳ７）。
【００２８】
そして、主制御装置１１は、放送信号の記録動作が終了されたか否かを判定する（ステップＳ８）。
【００２９】
ステップＳ８において、主制御装置１１は、放送信号の記録動作が終了されていないと判定すると（ステップＳ８：ＮＯ）、ステップＳ８の処理を繰り返す）。
【００３０】
一方、ステップＳ８において、主制御装置１１は、放送信号の記録動作が終了されたと判定すると（ステップＳ８：ＹＥＳ）、位置検出部２から取得したＧＰＳデータに含まれている時刻データに基づき、放送信号の記録動作を終了する記録終了時刻を記憶装置１２に記憶する（ステップＳ９）。
【００３１】
次に、主制御装置１１は、圧縮され、記憶装置１２に記憶された放送信号に対応する、放送データと、受信局情報、記録開始時刻、記録終了時刻により構成される番組名照合用データとを記録装置１に記録するファイルクローズ処理を行う（ステップＳ１０）。
【００３２】
そして、主制御装置１１は、データ処理装置１００の電源が切られたか（ＯＦＦになったか）否かを判定する（ステップＳ１１）。
【００３３】
ステップＳ１１において、主制御装置１１は、データ処理装置１００の電源が切られたと判定すると（ステップＳ１１：ＹＥＳ）、一連の処理を終了する。
【００３４】
一方、ステップＳ１１において、主制御装置１１は、データ処理装置１００の電源が切られていないと判定すると（ステップＳ１１：ＮＯ）、データ処理装置１００は、再び処理をステップＳ１に移行し、同様の処理を繰り返す。
【００３５】
以上の処理により、放送データ記録するに際し、放送データに対応する番組名照合用データを記録することにより、放送データ記録時または記録後に記録した番組名照合用データを、外部のデータベースに格納された電子番組表と照合し、放送データの番組名等の番組情報を取得することができる。
番組情報を取得する方法は、無線通信部５、携帯電話通信制御部６を介して外部のデータベースと通信することにより照合し、取得する方法と、外部記憶装置制御部７に接続される番組名照合用データを格納したＩＣメモリーカードを介して照合し、取得する方法等があり、ユーザーはいずれかの方法を選択することができる。
【００３６】
ここで、ＩＣメモリーカードを介して番組情報を取得する方法について説明する。
ＩＣメモリーカードは、データ処理装置１００から取り外し可能であり、データ処理装置１００から取り外されたＩＣメモリーカードは、コンピューター等の通信手段を持つデータベース処理装置に接続される。データベース処理装置はネットワークに接続されており、番組名照合用データをネットワーク上のデータベースと照合し、番組情報を取得する。そして、データベース処理装置は、取得した番組情報をＩＣメモリーカードに記憶する。その後、ＩＣメモリーカードはデータベース処理装置からユーザーにより取り外され。取り外されたＩＣメモリーカードはデータ処理装置１００に接続される。この結果、データ処理装置１００は、接続されたＩＣメモリーカードから番組情報を読み出すことにより、データベースに記録されていた番組情報を取得することができる。
【００３７】
図３は、無線通信部５を介して番組名照合用データを外部のデータベースと照合する際のデータ処理装置１００による動作を示すフローチャートである。
先ず、ユーザーが操作部３を操作し、主制御装置１１に番組名照合用データを外部のデータベースと照合するように指示する（ステップＳ２１）。
【００３８】
次に、主制御装置１１は、番組名照合用データに格納されている受信局情報を外部のデータベースと照合し、受信局情報に対応する放送局とデータベースに格納されている放送局とで一致する放送局があるか否かを判定する（ステップＳ２２）。
【００３９】
ステップＳ２２において、主制御装置１１は、受信局情報の放送局とデータベースに格納されている放送局とで一致する放送局がないと判定すると（ステップＳ２２：ＮＯ）、番組情報等が未取得であると判断し（ステップＳ２５）、番組情報を取得することなくステップＳ２９の処理を行う。
【００４０】
一方、ステップＳ２２において、主制御装置１１は、受信局情報に対応する放送局とデータベースに格納されている放送局とで一致する放送局があると判定すると（ステップＳ２２：ＹＥＳ）、この放送局の電子番組表と、番組名照合用データに含まれている、記録開始時刻及び記録終了時刻とを照合し、電子番組表に番組照合用データに対応する放送データに該当する番組があるか否かを判定する（ステップＳ２３）。
【００４１】
ステップＳ２３において、主制御装置１１は、電子番組表に番組照合用データに対応する放送データに該当する番組がないと判定すると（ステップＳ２３：ＮＯ）、番組情報等が存在しないと判断し（ステップＳ２５）、処理をステップＳ２９に移行する。
【００４２】
一方、ステップＳ２３において、主制御装置１１は、電子番組表に番組照合用データに対応する放送データに該当する番組があると判定すると（ステップＳ２３：ＹＥＳ）、この該当する番組が複数あるか否かを判定する（ステップＳ２４）。ここで、該当する番組が複数あるというのは、番組照合用データに格納されている記録開始時刻から記録終了時刻の間に複数の番組が存在するということである。
【００４３】
ステップＳ２４において、主制御装置１１は、電子番組表に番組照合用データに対応する放送データに該当する番組が複数あると判定すると（ステップＳ２４：ＹＥＳ）、該当する複数の番組情報（例えば、放送時間と番組名）を番組候補情報として取得し（ステップＳ２７）、処理をステップＳ２９に移行する。
【００４４】
一方、ステップＳ２４において、主制御装置１１は、電子番組表に番組照合用データに対応する放送データに該当する番組が一つであると判定すると（ステップＳ２４：ＮＯ）、この該当した番組を、番組照合用データに対応する放送データとして記録した番組であると判断し、この該当した番組の番組名を放送データとして記録した番組の番組名として確定する（ステップＳ２６）。
【００４５】
次に、主制御装置１１は、ステップＳ２６において確定した番組名の番組に対応する番組情報をデータベースから取得し（ステップＳ２８）、照合処理が終了したか否かを判定する（ステップＳ２９）。ここで、照合処理が終了したか否かは、番組照合用データが他に存在しないか否かにより判定する。
【００４６】
ステップＳ２９において、主制御装置１１は、番組照合用データが他にも存在し、照合処理が終了していないと判定すると（ステップＳ２９：ＮＯ）、ステップＳ２２の処理から一連の処理を繰り返す。
【００４７】
一方、ステップＳ２９において、主制御装置１１は、番組照合用データが他に存在せず、照合処理が終了していると判定すると（ステップＳ２９：ＹＥＳ）、一連の処理を終了する。
【００４８】
ステップＳ２４において、主制御装置１１は、電子番組表に番組照合用データに対応する放送データに該当する番組が複数あると判定した場合には、該当する複数の番組情報の一つを自動的に表示部１０に表示したり、表示部１０に番組情報の選択肢を表示し、ユーザーが手動で表示する番組情報を選択したりするように予め設定することが可能である。
【００４９】
また、一度に連続して複数の番組を記録した場合、番組情報に基づいて番組の開始時刻等を取得できるため、記録開始時刻からの経過時間、または記録終了時刻からの逆算により番組毎に放送データを記録したファイルの先頭検索、分割、削除、編集を行うことができる。
さらに、記録開始時刻及び記録終了時刻とデータベースから取得した番組情報の番組放送時間とを照合することにより、放送データが番組を全て記録したものであるのか、番組の一部を記録したものであるのかを判断し、その旨を表示部１０に表示することもできる。
【００５０】
本実施形態によれば、同一周波数を送信しているにもかかわらず地域によっては放送局が異なる放送電波を受信した場合であっても、放送局を特定し、放送番組情報を取得することができるため、放送電波から取得した放送信号に基づく放送内容を記録したときに、記録した放送内容に対応する番組情報を正しく取得することができる。
【００５１】
以上、一実施形態に基づいて本発明を説明したが、本発明は、これに限定されるものではない。例えば、実施形態では、主制御装置１１は位置検出部２から取得したＧＰＳデータに格納されている時刻データに基づき、記録開始時刻や記録終了時刻を判断しているが、これに限らず、データ処理装置１００が備える時計機能から時刻を取得してもよい。
【００５２】
以上の説明はテレビ番組についてのものであったが、ラジオ番組についても適用可能である。
【図面の簡単な説明】
【００５３】
【図１】データ処理装置１００の主要構成を示すブロック図である。
【図２】データ処理装置１００による放送記録時の動作を示すフローチャートである。
【図３】番組名照合用データを外部のデータベースと照合する際のデータ処理装置１００による動作を示すフローチャートである。
【符号の説明】
【００５４】
１  記録装置（記録部）
１１  主制御装置（制御部）
１００  データ処理装置
【図１】
2006279379.tif 000003
【図２】
2006279379.tif 000004
【図３】
2006279379.tif 000005